(57)【要約】【課題】  リモートプルーフを実現するとともに、進捗状況の管理も実現できる画像処理装置を提供する。【解決手段】  少なくとも一つの宛先を特定する情報とともに、当該宛先からの返信の期限の設定を受け入れて、当該返信期限の情報を記録し、処理対象となった画像データを受け入れて、当該画像データを含むメールデータを、指定された宛先に対して送信し、この送信したメールデータに対する返信を受信し、宛先ごとに、返信の有無を記録し、返信期限の情報と、宛先ごとに記録された返信の有無の情報とを参照して、期限経過後であって、返信のない宛先に対して、期限報知に係るメールデータを送信する画像処理装置１である。【選択図】        図１
2006085505.tif 000002
【特許請求の範囲】
【請求項１】
少なくとも一つの宛先を特定する情報とともに、当該宛先からの返信の期限の設定を受け入れて、当該返信期限の情報を記録する手段と、
処理対象となった画像データを受け入れて、当該画像データを含むメールデータを、指定された宛先に対して送信する手段と、
前記送信したメールデータに対する返信を受信する手段と、
前記宛先ごとに、返信の有無を記録する手段と、
前記返信期限の情報と、宛先ごとに記録された返信の有無の情報とを参照して、期限経過後であって、返信のない宛先に対して、期限報知に係るメールデータを送信する手段と、
を含むことを特徴とする画像処理装置。
【請求項２】
複数の宛先を特定する情報と、送信の順序を特定する情報と、各宛先からの返信の期限の設定とを受け入れて、当該返信期限の情報を記録する手段と、
処理対象となった画像データを受け入れる手段と、
前記画像データを含むメールデータを、ｉ番目の宛先に対して送信し、前記ｉ番目の宛先から、前記送信したメールデータに対する返信を受信すると、ｉをインクリメントして、次の宛先に対して前記画像データを含むメールデータを送信する処理を繰返して行い、各宛先に対して順次、前記画像データを含むメールデータを送信する手段と、
前記返信期限の情報を参照して、期限経過後にもｉ番目の宛先からの返信がない場合に、当該ｉ番目の宛先に対して、期限報知に係るメールデータを送信する手段と、
を含むことを特徴とする画像処理装置。
【請求項３】
請求項２に記載の画像処理装置において、
前記送信した、画像データを含むメールデータに対する返信を受信する度に、予め定められた特定宛先に対して経過確認に係るメールデータを送信する手段をさらに含むことを特徴とする画像処理装置。
【請求項４】
コンピュータを用い、
少なくとも一つの宛先を特定する情報とともに、当該宛先からの返信の期限の設定を受け入れて、当該返信期限の情報を記録する工程と、
処理対象となった画像データを受け入れて、当該画像データを含むメールデータを、指定された宛先に対して送信する工程と、
前記送信したメールデータに対する返信を受信する工程と、
前記宛先ごとに、返信の有無を記録する工程と、
前記返信期限の情報と、宛先ごとに記録された返信の有無の情報とを参照して、期限経過後であって、返信のない宛先に対して、期限報知に係るメールデータを送信する工程と、
を実行させることを特徴とする画像処理方法。
【請求項５】
コンピュータを用い、
複数の宛先を特定する情報と、送信の順序を特定する情報と、各宛先からの返信の期限の設定とを受け入れて当該返信期限の情報を記録する工程と、
処理対象となった画像データを受け入れる工程と、
前記画像データを含むメールデータを、ｉ番目の宛先に対して送信し、前記ｉ番目の宛先から、前記送信したメールデータに対する返信を受信すると、ｉをインクリメントして、次の宛先に対して前記画像データを含むメールデータを送信する処理を繰返して行い、各宛先に対して順次、前記画像データを含むメールデータを送信する工程と、
前記返信期限の情報を参照して、期限経過後にもｉ番目の宛先からの返信がない場合に、当該ｉ番目の宛先に対して、期限報知に係るメールデータを送信する工程と、
を実行させることを特徴とする画像処理方法。
【請求項６】
コンピュータに、
少なくとも一つの宛先を特定する情報とともに、当該宛先からの返信の期限の設定を受け入れて、当該返信期限の情報を記録する手順と、
処理対象となった画像データを受け入れて、当該画像データを含むメールデータを、指定された宛先に対して送信する手順と、
前記送信したメールデータに対する返信を受信する手順と、
前記宛先ごとに、返信の有無を記録する手順と、
前記返信期限の情報と、宛先ごとに記録された返信の有無の情報とを参照して、期限経過後であって、返信のない宛先に対して、期限報知に係るメールデータを送信する手順と、
を実行させることを特徴とする画像処理プログラム。
【請求項７】
コンピュータに、
複数の宛先を特定する情報と、送信の順序を特定する情報と、各宛先からの返信の期限の設定とを受け入れて、当該返信期限の情報を記録する手順と、
処理対象となった画像データを受け入れる手順と、
前記画像データを含むメールデータを、ｉ番目の宛先に対して送信し、前記ｉ番目の宛先から、前記送信したメールデータに対する返信を受信すると、ｉをインクリメントして、次の宛先に対して前記画像データを含むメールデータを送信する処理を繰返して行い、各宛先に対して順次、前記画像データを含むメールデータを送信する手順と、
前記返信期限の情報を参照して、期限経過後にもｉ番目の宛先からの返信がない場合に、当該ｉ番目の宛先に対して、期限報知に係るメールデータを送信する手順と、
を実行させることを特徴とする画像処理プログラム。
【発明の詳細な説明】
【技術分野】
【０００１】
本発明は、利用者から受け入れた画像データを所定の処理に供する画像処理装置に関する。
【背景技術】
【０００２】
出版物の製造の現場では、デザイナやライタ、イラストレータ、カメラマンといったデータ作成者から原稿素材のデータを受け取り、編集者がこれらを校正してデータ作成者に再作成を要求するといったフロー（校正作業）が行われる。
【０００３】
従来、この校正作業に用いる原稿は、デザイナ等が作成した完成原稿をデザイナ側のプリンタで印刷し、当該印刷物をファクスにて編集者に送信したものであった。つまり、たとえ印刷物がカラーであっても、ファクスによって送られるので白黒となってしまっていた。
【０００４】
さらに編集者では、このファクスによって送られた白黒原稿に赤色の筆記具でコメントを記入し、当該記入後の原稿をさらにファクスにてデザイナ等に送り返していた。
【０００５】
従って、デザイナ側でも白黒で送られた原稿を参照することになり、編集者のコメントが見づらくなる場合もあって、校正の誤りなどの原因ともなっていた。
【０００６】
そこで近年、リモートプルーフと呼ばれる方式が考えられている。この方式では、デザイナは作成した原稿をＰＤＦ（Portable Document Format）化して電子メールやＦＴＰで編集者に送付する。編集者は、当該ＰＤＦ化された原稿を、自社のカラープリンタで印刷して校正を行う。このため、編集者は、色などの検討を同時に行うことができる。また、校正を完了すると、編集者は、この校正した印刷物をスキャナで読み取ってＰＤＦ化（校正済みＰＤＦ）する。そして、当該ＰＤＦ化した校正済みＰＤＦのデータをデザイナに送信する。デザイナは、校正済みＰＤＦのデータをコンピュータの画面に表示して、校正の内容を閲覧する。この場合も、ファクスとは異なり、カラーのまま校正の内容を参照することができる。このため、編集者が赤色で記入したコメントが見やすくなり、校正誤りの防止にも役立つ（非特許文献１を参照）。
【非特許文献１】ＤＴＰＷＯＲＬＤ編集部編、「カラー図解ＤＴＰ＆印刷スーパーしくみ事典」、２００４年度版、株式会社ワークスコーポレーション発行、２００４年２月２６日、２７８ページ
【発明の開示】
【発明が解決しようとする課題】
【０００７】
しかしながら、上記従来のリモートプルーフ技術では、校正を担当する各編集者の進捗状況までは管理しない。従って、実際にはリモートプルーフに係るシステムとともに、進捗状況を管理するシステムを別途用意しておかなければ、円滑な業務運用ができない。
【０００８】
本発明は、上記実情に鑑みて為されたもので、リモートプルーフを実現するとともに、進捗状況の管理も実現できる画像処理装置を提供することを、その目的の一つとする。
【課題を解決するための手段】
【０００９】
上記従来例の問題点を解決するための本発明は、画像処理装置であって、少なくとも一つの宛先を特定する情報とともに、当該宛先からの返信の期限の設定を受け入れて、当該返信期限の情報を記録する手段と、処理対象となった画像データを受け入れて、当該画像データを含むメールデータを、指定された宛先に対して送信する手段と、前記送信したメールデータに対する返信を受信する手段と、前記宛先ごとに、返信の有無を記録する手段と、前記返信期限の情報と、宛先ごとに記録された返信の有無の情報とを参照して、期限経過後であって、返信のない宛先に対して、期限報知に係るメールデータを送信する手段と、を含むことを特徴としている。これにより、処理対象の画像データとして校正原稿に係る画像データを送信することとすれば、リモートプルーフとともに、応答の期限を管理することで、進捗状況の管理を実現できる。
【００１０】
また、上記従来例の問題点を解決するための本発明は、画像処理装置であって、複数の宛先を特定する情報と、送信の順序を特定する情報と、各宛先からの返信の期限の設定とを受け入れて、当該返信期限の情報を記録する手段と、処理対象となった画像データを受け入れる手段と、前記画像データを含むメールデータを、ｉ番目の宛先に対して送信し、前記ｉ番目の宛先から、前記送信したメールデータに対する返信を受信すると、ｉをインクリメントして、次の宛先に対して前記画像データを含むメールデータを送信する処理を繰返して行い、各宛先に対して順次、前記画像データを含むメールデータを送信する手段と  前記返信期限の情報を参照して、期限経過後にもｉ番目の宛先からの返信がない場合に、当該ｉ番目の宛先に対して、期限報知に係るメールデータを送信する手段と、を含むことを特徴としている。
【００１１】
またここで前記送信した、画像データを含むメールデータに対する返信を受信する度に、予め定められた特定宛先に対して経過確認に係るメールデータを送信する手段をさらに含むこととしてもよい。
【００１２】
さらに本発明の一態様に係る画像処理方法は、コンピュータを用い、少なくとも一つの宛先を特定する情報とともに、当該宛先からの返信の期限の設定を受け入れて、当該返信期限の情報を記録する工程と、処理対象となった画像データを受け入れて、当該画像データを含むメールデータを、指定された宛先に対して送信する工程と、前記送信したメールデータに対する返信を受信する工程と、前記宛先ごとに、返信の有無を記録する工程と、前記返信期限の情報と、宛先ごとに記録された返信の有無の情報とを参照して、期限経過後であって、返信のない宛先に対して、期限報知に係るメールデータを送信する工程と、を実行させることを特徴としている。
【００１３】
また、本発明の一態様に係る画像処理方法は、コンピュータを用い、複数の宛先を特定する情報と、送信の順序を特定する情報と、各宛先からの返信の期限の設定とを受け入れて、当該返信期限の情報を記録する工程と、処理対象となった画像データを受け入れる工程と、前記画像データを含むメールデータを、ｉ番目の宛先に対して送信し、前記ｉ番目の宛先から、前記送信したメールデータに対する返信を受信すると、ｉをインクリメントして、次の宛先に対して前記画像データを含むメールデータを送信する処理を繰返して行い、各宛先に対して順次、前記画像データを含むメールデータを送信する工程と、前記返信期限の情報を参照して、期限経過後にもｉ番目の宛先からの返信がない場合に、当該ｉ番目の宛先に対して、期限報知に係るメールデータを送信する工程と、を実行させることを特徴としている。
【００１４】
さらに、本発明の別の態様に係る画像処理プログラムは、コンピュータに、少なくとも一つの宛先を特定する情報とともに、当該宛先からの返信の期限の設定を受け入れて、当該返信期限の情報を記録する手順と、処理対象となった画像データを受け入れて、当該画像データを含むメールデータを、指定された宛先に対して送信する手順と、前記送信したメールデータに対する返信を受信する手順と、前記宛先ごとに、返信の有無を記録する手順と、前記返信期限の情報と、宛先ごとに記録された返信の有無の情報とを参照して、期限経過後であって、返信のない宛先に対して、期限報知に係るメールデータを送信する手順と、を実行させることを特徴としている。
【００１５】
さらに、本発明の別の態様に係る画像処理プログラムは、コンピュータに、複数の宛先を特定する情報と、送信の順序を特定する情報と、各宛先からの返信の期限の設定とを受け入れて、当該返信期限の情報を記録する手順と、処理対象となった画像データを受け入れる手順と、前記画像データを含むメールデータを、ｉ番目の宛先に対して送信し、前記ｉ番目の宛先から、前記送信したメールデータに対する返信を受信すると、ｉをインクリメントして、次の宛先に対して前記画像データを含むメールデータを送信する処理を繰返して行い、各宛先に対して順次、前記画像データを含むメールデータを送信する手順と、前記返信期限の情報を参照して、期限経過後にもｉ番目の宛先からの返信がない場合に、当該ｉ番目の宛先に対して、期限報知に係るメールデータを送信する手順と、を実行させることを特徴としている。
【発明を実施するための最良の形態】
【００１６】
本発明の実施の形態について図面を参照しながら説明する。本発明の実施の形態に係る画像処理装置１は、図１に示すようにネットワークを介して複数のクライアント装置２や、プリンタ３に接続されている。また、この画像処理装置１は、制御部１１と、記憶部１２と、通信部１３とを含んで構成されている。
【００１７】
制御部１１は、ＣＰＵ等で実現できる。制御部１１は、記憶部１２に格納されているプログラムを実行し、メールサーバ（ＳＭＴＰやＰＯＰサーバ等）として動作するとともに、リモートプルーフを実現するための処理と、進捗状況の管理を行うための処理とを行う。これらの制御部１１の各処理の内容については、後に詳しく述べる。
【００１８】
記憶部１２は、ＲＡＭやＲＯＭ等の記憶素子のほか、ハードディスク等のコンピュータ可読な記憶媒体を含む。この記憶部１２は、制御部１１によって実行されるプログラムを格納している。またこの記憶部１２は、制御部１１における処理に必要となるデータを保持するワークメモリとしても動作する。
【００１９】
通信部１３は、ネットワークに接続されている。この通信部１３は、制御部１１から入力される指示に従い、画像データを添付したメールデータを、指示された宛先に、電子メールにて送信する。また、この通信部１３は、ネットワークを介して受信した電子メールを制御部１１に出力する。
【００２０】
クライアント装置２は、パーソナルコンピュータを用いて実現できる。このクライアント装置２は、ネットワークを介して受信した電子メールの内容を利用者に提示する。また、当該電子メールそのもの、又はその電子メールに添付されたデータを印刷する処理を行う。また、このクライアント装置２は、校正後の画像データを含む電子メールを、返信メールとして画像処理装置１に対して送信する。
【００２１】
ここで画像処理装置１の制御部１１の動作について説明する。制御部１１は、利用者からの操作によって処理対象となった画像データの指定を受け入れる。そして当該指定された画像データを添付ファイルとして含む電子メールのデータ（本発明のメールデータ）を生成する。そして制御部１１は、この電子メールのデータを指定された宛先に対して配信する。
【００２２】
ここで電子メールの配信の方法には、複数の校正者の各々に対して一斉に配信する第１のスタイル（図２（ａ））と、各校正者に対して指定した順番に従って順次データを配信する第２のスタイル（図２（ｂ））とがある。制御部１１は、利用者からの指定に従って、上記第１、第２のスタイルのいずれかの配信方法で選択的に電子メールのデータを配信する。
【００２３】
制御部１１は、配信方法の入力とともに、当該電子メールの宛先（校正者のメールアドレス）と、返信期限との入力を受け入れる。この返信期限は、例えば日時の情報として設定する。また、返信期限は、一律に同じ日時を設定してもよいし、宛先ごとに設定してもよい。制御部１１は、記憶部１２に、図３（ａ）に示すようなテーブルを記憶させる。このテーブルには、宛先の情報と、返信の有無を表す情報とを記録できるようになっている。当初、返信の有無を表す情報は「返信なし」の状態に設定される。
【００２４】
［第１のスタイルによる配信］
そして制御部１１は、指定された配信方法で、指定された電子メールの宛先に対して電子メールのデータを送信する。以下の処理は、配信方法によって少々異なるので、分けて説明する。まず、第１のスタイルによる配信が指定された場合、制御部１１は、指定された各宛先に対して電子メールのデータを一斉に送信する。以下の説明では、ここで送信した電子メールを校正依頼メールと呼ぶ。
【００２５】
次に制御部１１は、電子メールの受信を監視する処理を開始する。そして電子メールが受信されると、当該受信した電子メールが、校正依頼メールへの返信メールであるか否かを判断する。この判断は例えば、電子メールの送信元の電子メールアドレスや、タイトル（Subject）を、校正依頼メールの宛先の電子メールアドレスやタイトル（Subject）と比較して行うことができる。
【００２６】
そして返信メールであると判断されたときには、記憶部１２に格納しているテーブルのうち、当該返信メールの送信元の電子メールアドレス（宛先）に関連づけられている返信の有無を表す情報を、「返信あり」の状態に設定する。
【００２７】
制御部１１はまた、図示しないカレンダや時計を参照して、返信期限が到来したか否かを調べる。そして返信期限が到来したときには、記憶部１２に格納したテーブルを参照して、「返信なし」の状態となっている宛先を抽出する。制御部１１は、この抽出した宛先に対して、期限報知に係る電子メールを送信する。具体的にこの期限報知の電子メールは、校正の作業を催促する文字列を含むものである。
【００２８】
なお、返信期限が宛先ごとに定められている場合は、次のようにする。つまり、テーブルから「返信なし」となっている宛先を抽出し、当該抽出した宛先について設定された返信期限が到来したか否かを調べる。そして、返信期限が到来していれば、当該宛先に対して期限報知に係る電子メールを送信する。
【００２９】
［第２のスタイルによる配信］
また、制御部１１が第２のスタイルによる配信の指定を受けた場合の動作について説明する。この場合は、まず、変数ｉを記憶部１２に設定し、この変数ｉを「１」に初期化する。
【００３０】
制御部１１は、第ｉ番目の送信先として指定された宛先に対して、電子メールのデータを送信する。処理対象の画像データを含む、この電子メールが校正依頼メールとなる。
【００３１】
次に制御部１１は、電子メールの受信を監視する処理を開始する。そして電子メールが受信されると、当該受信した電子メールが、校正依頼メールへの返信メールであるか否かを判断する。この判断は例えば、電子メールの送信元の電子メールアドレスや、タイトル（Subject）を、校正依頼メールの宛先の電子メールアドレスやタイトル（Subject）と比較して行うことができる。
【００３２】
ここで返信メールであると判断されたときには、記憶部１２に格納しているテーブルのうち、当該返信メールの送信元の電子メールアドレス（第ｉ番目の宛先）に関連づけられている返信の有無を表す情報を、「返信あり」の状態に設定する。そして制御部１１は、ｉをインクリメントして、インクリメント後のｉについて、第ｉ番目の宛先があるか否かを調べ、その宛先がなければ（すべての宛先に対して送信を完了すれば）、処理を終了する。
【００３３】
また、インクリメント後のｉについて、第ｉ番目の宛先がある場合、当該第ｉ番目の宛先に対して電子メールを送信して処理を繰返す。
【００３４】
制御部１１はまたこの処理を実行している間、図示しないカレンダや時計を参照して、指定された返信期限が到来したか否かを調べる。そして返信期限が到来したときには、校正依頼メールを送信した第ｉ番目の宛先に対して期限報知に係る電子メールを送信する。またこのとき、制御部１１は、予め定められた宛先（特定宛先）に対して、経過確認に係る電子メールを送信してもよい。例えば、校正を依頼する側の電子メールアドレスを特定宛先として指定しておけば、校正者から校正原稿が返信される度に、校正原稿が返信されたことを表す通知を受取ることができる。
【００３５】
具体的にこの経過確認に係る電子メールは、図４に示すように、指定された宛先の一覧（Ａ）を含む。この一覧には、校正原稿の返信を受けたか否かを表す情報（Ｂ）が関連づけられている。ここで校正原稿の返信を受けた旨の情報には、例えばカレンダ等から取得した日時の情報を含めてもよい。
【００３６】
さらに第ｉ番目の宛先から受領した（つまり時間的に最後に受領した）校正原稿のサムネイル画像（縮小画像）などを含めてもよい（Ｃ）。また、ここで返信期限の記述を含めてもよい（Ｄ）。
【００３７】
なお、返信期限が宛先ごとに定められている場合は、所定のタイミング（例えば毎日所定の時刻）ごとに、第ｉ番目の返信期限が到来したか否かを調べ、返信期限が到来しているときに第ｉ番目の宛先に対して期限報知に係る電子メールを送信するようにしてもよい。
【００３８】
［動作］
本実施の形態の画像処理装置によると、デザイナが利用するクライアント装置２から、当該デザイナが作成した原稿のデータを受け入れる。そして、画像処理装置１は当該受け入れたデータを元にＰＤＦ等の形式で画像データを生成し、この画像データを添付ファイルとして含む電子メールを生成する。そして、利用者（デザイナ等）がクライアント装置２から指定した校正者の電子メールアドレスに対して、この電子メールを送信する。ここで校正者が複数である場合、利用者は各校正者に一斉に配信する方法（第１のスタイルによる配信）と、各校正者に順次配信する方法（第２のスタイルによる配信）とのどちらの方法で配信するかを指定する。
【００３９】
画像処理装置１は、ここでの指定に従って各校正者に対して上記生成した電子メールを送信する。また画像処理装置１は、利用者から例えば宛先ごとに返信期限の設定を受け入れる。
【００４０】
以下、具体的に第２のスタイルによる配信の方法で、第１から第３の宛先Ｐ，Ｑ，Ｒを指定したとする。制御部１１は、当初変数ｉを「１」として初期化し、第ｉ番目、つまり第１番目の宛先「Ｐ」に画像データを添付した電子メール（校正依頼メール）を送信する。
【００４１】
校正者側は、自己のクライアント装置２で当該校正依頼メールを受信する。そして、当該メールに添付された画像データ（ＰＤＦデータ）をプリンタ３で印刷出力する。この印刷出力の結果が校正紙となる。そして当該校正紙に赤色の筆記具で校正の内容を記入する。校正を完了すると、当該校正紙を図示しないスキャナで読み取って画像データを生成し、この画像データをＰＤＦデータに変換する。そして当該ＰＤＦデータを添付した電子メールを画像処理装置１側へ送信する。このとき、校正者は、校正依頼メールに対する返信として当該ＰＤＦデータを添付した電子メール（校正結果メール）を送信する。
【００４２】
画像処理装置１では、当該校正結果メールを受信すると、その送信元とタイトルとを校正依頼メールの宛先及びタイトルと比較し、返信であるか否かを判断する。具体的に返信である場合、校正結果メールの送信元と校正依頼メールの宛先とが一致し、校正結果メールのタイトルは（通常、「Re:」などの所定文字列が先頭に付加されるので）、校正依頼メールにのタイトルに後方一致する。そこで制御部１１は、これらの条件を満足する場合に、返信のメールを受信したものとして、宛先である「Ｐ」を特定する情報と、返信を受領した旨の情報とを関連付けて、記憶部１２に格納する。次に制御部１１は、校正結果メールに含まれるＰＤＦデータをサムネイル化した画像を生成する。制御部１１はさらに、当該サムネイル化した画像を添付した電子メールを利用者に対して送信する。この電子メールには、さらに、宛先の一覧と、第１の宛先「Ｐ」から返信があったことを表す情報とを含めてもよい。
【００４３】
この電子メールを受信した利用者は、第１の校正者から校正が返されたことを知ることができ、校正の進捗を知ることができる。
【００４４】
また、画像処理装置１では、ｉをインクリメントして、第ｉ番目、つまり第２番目の宛先「Ｑ」に画像データを添付した電子メール（校正依頼メール）を送信する。校正者側は、自己のクライアント装置２で当該校正依頼メールを受信する。ここで宛先「Ｑ」の校正者が、当該メールを受取ったことを忘れてしまい、画像処理装置１が、設定された返信期限までに返信を受取らなかったとする。この場合、画像処理装置１は、宛先「Ｑ」に対して返信期限の報知に係る電子メールを送信する。これにより校正者は、改めて校正の依頼を受取っていたことを認識することができる。
【００４５】
なお、利用者は、電子メールにて受取った校正結果を印刷出力するなどして、校正の内容を受取り、当該校正の内容を参照しながら、データの修正作業を行うことになる。
【００４６】
また、ここまでの説明では、各データの送受は電子メールにて行うこととしていたが、これに代えてＦＴＰによって校正処理の対象となる画像データや校正結果の画像データを送受してもよい。この場合、制御部１１は、ＦＴＰサーバとしての動作を行うこととなる。
【００４７】
本実施の形態によれば、リモートプルーフを実現するとともに、リモートプルーフのためのデータの送受信状況により進捗状況の管理を実現できる。
【００４８】
なお、校正者側では、進捗状況に応じて、設定した返信期限を変更できるようにしておいてもよい。この場合は、返信期限の変更毎に、図３（ａ）に示した返信の有無に係る情報を管理してもよい（図３（ｂ））。なお、図では、図示の都合上、返信期限を「納期」として示してある。
【図面の簡単な説明】
【００４９】
【図１】本発明の実施の形態に係る画像処理装置の構成例、及びそのネットワーク接続状態の例を表すブロック図である。
【図２】配信方法の例を表す流れ図である。
【図３】返信の有無を記録するテーブルの例を表す説明図である。
【図４】進捗の経過を確認させるための電子メールの内容例を表す説明図である。
【符号の説明】
【００５０】
１  画像処理装置、２  クライアント装置、３  プリンタ、１１  制御部、１２  記憶部、１３  通信部。
【図１】
2006085505.tif 000003
【図２】
2006085505.tif 000004
【図３】
2006085505.tif 000005
【図４】
2006085505.tif 000006